(57)【要約】【課題】印刷関連部材を収容する収容体が着脱可能に装着される挿入口と、挿入口を開閉可能に覆う開閉カバーと、開閉カバーをロックするロック機構と、を備える印刷装置において、ロック機構がロック状態からアンロック状態に不用意に移行する虞を低減させる。【解決手段】印刷装置１のロック機構１５は、外装構成部材２の開口１７に対応する位置の内側に配置され、開閉カバー１３のロック状態とアンロック状態とをスライド方向Ｓに移動して切り換えるスライド部材１９と、スライド部材１９と一体にスライド方向Ｓに移動する規制部２１とを備え、規制部２１は、スライド部材１９がロック位置Ｓ１に位置する状態では開口１７から突出し、スライド部材１９がアンロック位置Ｓ２に位置する状態では開口１７の内側に退避し、規制部２には、スライド部材１９をロック位置Ｓ１とアンロック位置Ｓ２とに移動させる操作部２３が備えられている。【選択図】図１０
2020082595.tif 000002
【特許請求の範囲】
【請求項１】
印刷部による印刷に関連する印刷関連部材を収容する収容体が着脱可能に装着される挿入口と、
前記挿入口を開閉可能に覆う開閉カバーと、
前記開閉カバーをロックするロック機構と、を備える印刷装置であって、
前記ロック機構は、
印刷装置の外装構成部材に設けられた開口に対応する位置において前記外装構成部材の内側に配置され、前記開閉カバーのロック状態とアンロック状態とをスライド方向に移動して切り換えるスライド部材と、
前記スライド部材と一体にスライド方向に移動する規制部と、を備え、
前記規制部は、
前記スライド部材がスライド方向における前記開口の一方の端部側であるロック位置に位置する状態では前記開口から突出し、
前記スライド部材がスライド方向における前記開口の他方の端部側であるアンロック位置に位置する状態では前記開口の内側に退避し、
前記スライド部材を前記開口の外側から前記ロック位置とアンロック位置とに移動させる操作部を備える、ことを特徴とする印刷装置。
【請求項２】
請求項１に記載の印刷装置において、
前記開口は、前記他方の端部側におけるスライド方向と交差する方向の幅が前記規制部の幅より狭い、ことを特徴とする印刷装置。
【請求項３】
請求項１又は２に記載の印刷装置において、
前記規制部は、前記スライド部材に対して揺動可能であり、
前記スライド部材が前記ロック位置に移動した状態において前記規制部を前記開口から突出する方向に押圧する押圧部材を備える、ことを特徴とする印刷装置。
【請求項４】
請求項１から３のいずれか１項に記載の印刷装置において、
前記操作部は、突部であり、
前記開口は、前記他方の端部側におけるスライド方向と交差する方向の幅が前記突部の幅より広い、ことを特徴とする印刷装置。
【請求項５】
請求項１から４のいずれか１項に記載の印刷装置において、
前記規制部は、前記開口から突出する部分に貫通孔が形成されている、ことを特徴とする印刷装置。
【請求項６】
請求項１から５のいずれか１項に記載の印刷装置において、
前記スライド部材の移動に伴って変位するリンク機構を有し、
前記スライド部材が前記ロック位置にある状態では前記リンク機構が前記開閉カバーの開放動作を規制する、ことを特徴とする印刷装置。
【請求項７】
請求項６に記載の印刷装置において、
前記リンク機構は、揺動支点を中心にして所定の角度の範囲で揺動する作用長の長い揺動リンク板と、
前記揺動リンク板をアンロック方向に付勢する付勢部材と、
前記揺動リンク板の一部に設けられ前記スライド部材に対して設けられる係合爪部と係合する係合受部と、
前記揺動リンク板の一部に設けられ前記開閉カバーに対して設けられる係合溝部に進入して該係合溝部に設けられる係合バーと係合する係合フックと、を備える、ことを特徴とする印刷装置。
【請求項８】
請求項１から５のいずれか１項に記載の印刷装置において、
前記スライド部材は係合部を有し、
前記スライド部材が前記ロック位置にある状態では前記係合部が前記開閉カバーの開放動作を規制する、ことを特徴とする印刷装置。
【発明の詳細な説明】
【技術分野】
【０００１】
本発明は、インクジェットプリンター等の印刷装置に関する。
【背景技術】
【０００２】
特許文献１には、開閉カバーを開いて装置内部のインクパック等の印刷関連部材を交換する構成のインクジェットプリンターが記載されている。このプリンターは、開閉カバーのロック機構を備える。そのロック機構は、変位部材をロック位置とアンロック位置とに移動させて行う構成である。具体的には、変位部材は装置のコーナー部に設けられており、湾曲形状である。ロック操作は、変位部材に設けられた指掛け部をロック方向に押して変位部材をロック位置に位置させ、指掛け部をアンロック方向に押して変位部材をアンロック位置に位置させる。
【先行技術文献】
【特許文献】
【０００３】
【特許文献１】特開２０１８−１０３５２８号公報
【発明の概要】
【発明が解決しようとする課題】
【０００４】
特許文献１に記載のプリンターは、ロック機構を構成する変位部材はプリンター装置のコーナー部に設けられており、湾曲形状である。このロック機構をコーナー部以外の場所に設けることは考慮されていない。  
また、変位部材がロック位置にある状態で、この変位部材の指掛け部をアンロック方向に押すと該変位部材をアンロック方向に移動してしまう。そのため、ロック状態において不用意に指掛け部をアンロック方向に押すとアンロック状態になってしまう虞がある。
【課題を解決するための手段】
【０００５】
上記課題を解決するための本発明に係る印刷装置は、印刷部による印刷に関連する印刷関連部材を収容する収容体が着脱可能に装着される挿入口と、前記挿入口を開閉可能に覆う開閉カバーと、前記開閉カバーをロックするロック機構と、を備える印刷装置であって、前記ロック機構は、印刷装置の外装構成部材に設けられた開口に対応する位置において前記外装構成部材の内側に配置され、前記開閉カバーのロック状態とアンロック状態とをスライド方向に移動して切り換えるスライド部材と、前記スライド部材と一体にスライド方向に移動する規制部と、を備え、前記規制部は、前記スライド部材がスライド方向における前記開口の一方の端部側であるロック位置に位置する状態では前記開口から突出し、前記スライド部材がスライド方向における前記開口の他方の端部側であるアンロック位置に位置する状態では前記開口の内側に退避し、前記スライド部材を前記開口の外側から前記ロック位置とアンロック位置とに移動させる操作部を備える、ことを特徴とする。
【図面の簡単な説明】
【０００６】
【図１】本発明の実施形態に係る印刷装置を表す外観斜視図。
【図２】本発明の実施形態に係る印刷装置を表す側断面図。
【図３】同実施形態に係る印刷装置のロック機構がアンロック状態のときの外観斜視図。
【図４】同実施形態に係る印刷装置のロック機構がロック状態のときの外観斜視図。
【図５】同実施形態に係る印刷装置の規制部に拘束具を取り付けた状態の斜視図。
【図６】同実施形態に係る印刷装置のリンク機構がアンロック状態のときの平面図。
【図７】同実施形態に係る印刷装置のリンク機構がアンロック状態のときの係合フックと係合バーの位置関係を表す平面図。
【図８】同実施形態に係る印刷装置のリンク機構がロック状態のときの平面図。
【図９】同実施形態に係る印刷装置のリンク機構がロック状態のときの係合フックと係合バーの位置関係を表す平面図。
【図１０】同実施形態に係る印刷装置の開閉カバーを開いた状態の斜視図。
【図１１】同実施形態に係る印刷装置の係合フック周辺を拡大して表す斜視図。
【図１２】同実施形態に係る印刷装置の開閉カバーに設けられている係合溝を拡大して表す斜視図。
【図１３】同実施形態に係る印刷装置のスライド部材と規制部と押圧部材を表すロック状態のときの斜視図。
【図１４】同実施形態に係る印刷装置のスライド部材と規制部と押圧部材を表すアンロック状態のときの平面図。
【図１５】同実施形態に係る印刷装置の挿入口に収容体を挿入する前の状態を表す斜視図。
【図１６】同実施形態に係る印刷装置の挿入口に収容体を挿入した後の状態を表す斜視図。
【図１７】同実施形態に係る印刷装置の開閉カバーを支えるリンクアーム機構を一部破断して表す斜視図。
【図１８】同実施形態に係る印刷装置のリンクアームとスライド支点部を拡大し、一部破断して表す斜視図。
【図１９】同実施形態に係る印刷装置の開閉カバーのヒンジ部を拡大して表す斜視図。
【図２０】同実施形態に係る印刷装置の開閉カバーを装置本体に取り付ける前の状態を一部破断して表す斜視図。
【図２１】同実施形態に係る印刷装置の開閉カバーを装置本体に取り付けた後の状態を一部破断して表す斜視図。
【図２２】同実施形態に係る印刷装置の付勢部材として２安定付勢バネを使用した場合を示す図で、ロック状態のときのパネル背面側からの斜視図。
【図２３】同実施形態に係る印刷装置の付勢部材として２安定付勢バネを使用した場合を示す図で、アンロック状態のときのパネル背面側からの斜視図。
【発明を実施するための形態】
【０００７】
最初に、本発明について概略的に説明する。  
上記課題を解決するための本発明の第１の態様の印刷装置は、印刷部による印刷に関連する印刷関連部材を収容する収容体が着脱可能に装着される挿入口と、前記挿入口を開閉可能に覆う開閉カバーと、前記開閉カバーをロックするロック機構と、を備える印刷装置であって、前記ロック機構は、印刷装置の外装構成部材に設けられた開口に対応する位置において前記外装構成部材の内側に配置され、前記開閉カバーのロック状態とアンロック状態とをスライド方向に移動して切り換えるスライド部材と、前記スライド部材と一体にスライド方向に移動する規制部と、を備え、前記規制部は、前記スライド部材がスライド方向における前記開口の一方の端部側であるロック位置に位置する状態では前記開口から突出し、前記スライド部材がスライド方向における前記開口の他方の端部側であるアンロック位置に位置する状態では前記開口の内側に退避し、前記スライド部材を前記開口の外側から前記ロック位置とアンロック位置とに移動させる操作部を備える、ことを特徴とする。
【０００８】
本態様によれば、前記規制部は、前記スライド部材がスライド方向における前記開口の一方の端部側であるロック位置に位置する状態では前記開口から突出し、前記スライド部材がスライド方向における前記開口の他方の端部側であるアンロック位置に位置する状態では前記開口の内側に退避する。即ち、スライド方向には前記スライド部材と共に移動しロック位置でスライド部材と別に動作して前記開口から突出する規制部を備える。  
前記規制部の前記突出構造により、スライド部材がロック位置にある状態で、このスライド部材をアンロック方向に移動させようとしても該スライド部材はアンロック方向に容易には移動しない。これにより、ロック機構がロック状態からアンロック状態に不用意に移行する虞を低減することができる。
【０００９】
本発明の第２の態様の印刷装置は、第１の態様において、前記開口は、前記他方の端部側におけるスライド方向と交差する方向の幅が前記規制部の幅より狭い、ことを特徴とする。
【００１０】
本態様によれば、前記開口は、前記他方の端部側におけるスライド方向と交差する方向の幅が前記規制部の幅より狭い。これにより、スライド部材がアンロック位置にある状態では、前記規制部は前記開口の内側に退避するので、印刷装置の外装構成部材の外表面から不要な突出物を無くすことができる。
【００１１】
本発明の第３の態様の印刷装置は、第１の態様又は第２の態様において、前記規制部は、前記スライド部材に対して揺動可能であり、前記スライド部材が前記ロック位置に移動した状態において前記規制部を前記開口から突出する方向に押圧する押圧部材を備える、ことを特徴とする。
【００１２】
本態様によれば、前記規制部を前記開口から突出する方向に押圧する押圧部材を備えるので、前記スライド部材がアンロック位置に移動すると前記規制部が前記開口から突出した状態に自動的に移行するので、操作性が良い。
【００１３】
本発明の第４の態様の印刷装置は、第１の態様から第３の態様のいずれか一つの態様において、前記操作部は、突部であり、前記開口は、前記他方の端部側におけるスライド方向と交差する方向の幅が前記突部の幅より広い、ことを特徴とする。
【００１４】
本態様によれば、前記スライド部材がアンロック位置に移動し、前記規制部が前記開口の内側に移動した状態においても、操作部としての突部は開口から突出するので、ロック状態に変える際に該突部を容易に操作することができ、操作性が良い。
【００１５】
本発明の第５の態様の印刷装置は、第１の態様から第４の態様のいずれか一つの態様において、前記規制部は、前記開口から突出する部分に貫通孔が形成されている、ことを特徴とする。
【００１６】
本態様によれば、前記規制部は、前記開口から突出する部分に貫通孔が形成されているので、例えば南京錠等の拘束具を前記貫通口に通して締結することで、スライド部材自体を移動できないように拘束することができる。これにより、前記カバー部材は閉状態が維持され、前記南京錠等の拘束具を前記貫通孔から外さない状態では、前記カバー部材を開状態にすることはできない。
【００１７】
本発明の第６の態様の印刷装置は、第１の態様から第５の態様のいずれか一つの態様において、前記スライド部材の移動に伴って変位するリンク機構を有し、前記スライド部材が前記ロック位置にある状態では前記リンク機構が前記開閉カバーの開放動作を規制する、ことを特徴とする。
【００１８】
本態様は、前記スライド部材の移動に伴って変位するリンク機構を介して前記開閉カバーの開放動作を規制する構造である。従って、前記スライド部材は前記リンク機構を動作させるための操作部を備えるだけでよいので構造が複雑化しない。また、前記リンク機構によって前記開閉カバーのロック状態が実現されるので、該リンク機構による強固で安定したロック状態の構造を実現し易い。
【００１９】
本発明の第7の態様の印刷装置は、第６の態様において、前記リンク機構は、揺動支点を中心にして所定の角度の範囲で揺動する作用長の長い揺動リンク板と、前記揺動リンク板をアンロック方向に付勢する付勢部材と、前記揺動リンク板の一部に設けられた前記スライド部材に対して設けられる係合爪部と係合する係合受部と、前記揺動リンク板の一部に設けられ前記開閉カバーに対して設けられる係合溝部に進入して該係合溝部に設けられる係合バーと係合する係合フックと、を備える、ことを特徴とする。
【００２０】
本態様によれば、リンク機構の主要な構成部材として揺動支点を中心にして所定の角度の範囲で揺動する作用長の長い板構造の揺動リンク板を備えている。これにより、剛性の強いリンク機構を構成でき、ロック機構の操作位置とロック位置を離間した位置に設定することが可能となる。また、開閉カバーを開こうとする外部からの力が作用した場合には、揺動リンク板の揺動支点と係合フックを結ぶ直線上に力が作用し、揺動リンク板をアンロック方向に揺動させる揺動方向には力は作用しない。従って、ロック機構の操作部が設けられるスライド部材に前記外力が作用して破損する虞や不用意に係合フックが係合バーから外れてしまう事態が生じ難い構造になっている。
【００２１】
本発明の第８の態様の印刷装置は、第１の態様から第５の態様のいずれか一つの態様において、前記スライド部材は係合部を有し、前記スライド部材が前記ロック位置にある状態では前記係合部が前記開閉カバーの開放動作を規制する、ことを特徴とする。
【００２２】
本態様によれば、前記スライド部材が前記ロック位置にある状態では前記係合部が前記開閉カバーの開放動作を規制する。これにより、部品点数を増やすことなく、前記開閉カバーの開放動作を規制することができる。
【００２３】
［実施形態］
以下に、本発明の印刷装置を図１〜図２３に表す実施形態を例にとって、詳細に説明する。  
尚、以下の説明では、最初に図１及び図２に基づいて本発明の実施形態に係る印刷装置の全体構成について説明する。次に、図１〜図２１に基づいて該印刷装置の要部である発明特徴部分とその周辺部材の構成を具体的に説明する。
【００２４】
続いて、本発明の実施形態に係る印刷装置の作動態様を印刷装置の基本動作と、開閉カバーの開閉動作と、収容体の着脱動作と、ロック機構のロック・アンロック動作と、開閉カバーの取付け動作と、に分けて具体的に説明する。  
更に、本発明の実施形態に係る印刷装置における付勢部材の変形例の構成と、その動作態様について説明した後、本発明の実施形態に係る印刷装置の作用、効果に言及する。そして、最後に前記実施形態とは部分的構成を異にする本発明の印刷装置における他の実施形態について簡単に説明する。
【００２５】
（１）印刷装置の全体構成の概略（図１及び図２参照）
本発明の実施形態に係る印刷装置１は、印刷部３３による印刷に関連する印刷関連部材Ｑを収容する収容体９（複数の収容体９を区別する場合は９B、９C、９M、９Y、…と記載する）が着脱可能に装着される挿入口１１（図３参照）と、挿入口１１を有する液体カセット装着部６の前面を開閉可能に覆う開閉カバー１３と、開閉カバー１３をロックするロック機構１５と、を備える。  
そして、ロック機構１５は、印刷装置１の外装構成部材２に設けられた開口１７に対応する位置において外装構成部材２の内側に配置され、開閉カバー１３のロック状態とアンロック状態とをスライド方向Ｓ（＋Sと−S）に移動して切り換えるスライド部材１９と、スライド部材１９と一体にスライド方向Ｓに移動する規制部２１と、を備えている。
【００２６】
また、規制部２１は、スライド部材１９がスライド方向Ｓにおける開口１７の一方の端部側（＋S側）であるロック位置Ｓ１（図４参照）に位置する状態では開口１７から突出し、スライド部材１９がスライド方向Ｓにおける開口１７の他方の端部側（−S側）であるアンロック位置Ｓ２（図３参照）に位置する状態では開口１７の内側に退避するように構成されている。  
また、規制部２１には、スライド部材１９を開口１７の外側からロック位置Ｓ１とアンロック位置Ｓ２とに移動させる操作部２３が備えられている。
【００２７】
また、図示の印刷装置１は、上部に画像読取装置であるスキャナー３、その下方にプリンター本体４、その下方に媒体カセット装着部５、最下段に液体カセット装着部６が段積み状態で設けられた複合型のインクジェットプリンターである。  
そして、印刷関連部材の一例である大容量の液体収容パックＱが個別に収容された収容体である液体カセット９を装着するための挿入口１１が液体カセット装着部６の前面に設けられている。尚、液体収容パックＱは、ブラック（Ｂ）、シアン（Ｃ）、マゼンタ（Ｍ）、イエロー（Ｙ）の４色のインクが個別に収容された４種類が一例として用意されており、これに伴って液体カセット９も前記４色のインクに対応した、９Ｂ（ブラック用）、９Ｃ（シアン用）、９Ｍ（マゼンタ用）、９Ｙ（イエロー用）の４種類が用意されている。
【００２８】
スキャナー３は、いわゆるフラットベッド型のスキャナーが採用されており、上下開閉式の蓋体２５と、装置内部に原稿をセットする原稿台と、原稿に記載されている画像情報読み取るイメージセンサー及び該イメージセンサーを走査方向に駆動する駆動機構等が設けられる本体部２７と、を備える。  
プリンター本体４は、媒体カセット７にセットされた媒体Ｐを給送する給送部２９と、給送部２９から給送された媒体Ｐを搬送する搬送部３１と、搬送部３１から搬送された媒体Ｐに印刷を実行する印刷部３３と、を備える。
【００２９】
給送部２９は、媒体カセット装着部５に設けられているピックアップローラー３５と、ピックアップローラー３５によりピックアップした媒体Ｐを上方のプリンター本体部４に向けて給送する第１給送経路３７と、第１給送経路３７上に設けられる分離ローラー３９及びガイドローラー４１と、第１給送経路３７の終端から後述する搬送用ローラー４７に向けて媒体Ｐを給送する第２給送経路４３と、第２給送経路４３上に設けられる給送用ローラー４５及び反転ローラー４６と、前記ピックアップローラー３５、分離ローラー３９、給送用ローラー４５及び反転ローラー４６に駆動力を付与する図示しない給送用駆動モーター及び給送用ギヤ輪列と、を備える。
【００３０】
搬送部３１は、給送部２９によって給送された媒体Ｐを挟持して印刷部３３に向けて搬送する搬送用ローラー４７と、搬送用ローラー４７によって搬送力が付与された媒体Ｐを支持するプラテン４９と、印刷後の媒体Ｐを排出スタッカー５１に向けて排出する排出用ローラー５３と、搬送用ローラー４７及び排出用ローラー５３に駆動力を付与する図示しない搬送用駆動モーター及び搬送用ギヤ輪列と、を備える。  
また、図示の実施形態では搬送用ローラー４７と排出用ローラー５３を逆方向に回転させることによって排出用ローラー５３から搬送用ローラー４７を通り、更に給送用ローラー４５と反転ローラー４６の下側を通って第１給送経路３７の終点に合流する反転経路５５も設けられている。
【００３１】
印刷部３３は、媒体Ｐの被印刷面となる上面に前記液体収容パックＱから供給される液体の一例であるインクを吐出して所望の印刷を実行する印刷ヘッド５７と、印刷ヘッド５７を搭載して一例として装置の幅方向Ｘを走査方向として往復移動するキャリッジ５９と、キャリッジ５９を駆動する図示しないキャリッジ駆動モーター及びタイミングベルトと、前記印刷ヘッド５７と前記液体収容パックＱを接続する液体チューブ６１と、を備える。
【００３２】
また、図示の印刷装置１には、外装構成部材２の前面＋Ｙから前方＋Ｙに一例として突出する排出スタッカー５１が設けられていて、排出スタッカー５１の一例として上方に操作パネル６３が配置されている。  
また、プリンター本体４の内部には、操作パネル６３ないしパーソナルコンピューター（ＰＣ）からの指令を受けて各種の動作を制御する制御装置６０が設けられている。
【００３３】
図示の媒体カセット装着部５は、プリンター本体４の外装構成部材２を媒体カセット装着部５の外層構成部材２としてそのまま利用したプリンター本体４と一体型の媒体カセット装着部５になっている。媒体カセット装着部５の外装構成部材２の前面には、図示しない挿入口が設けられており、この挿入口に対して前方＋Ｙから着脱可能に媒体Ｐを平置きした状態でセットした媒体カセット７が装着できるように構成されている。  
そして、媒体カセット７を装着した媒体カセット装着部５の奥部には、ピックアップローラー３５が臨んでいて、媒体カセット７に積層された複数枚の媒体Ｐを上位から一枚ずつピックアップして第１給送経路３７に供給できるように構成されている。尚、媒体カセット装着部５は、図示を省略するが、プリンター本体４と別体の増設用の媒体カセット装着部５も別に用意されており、増設用の媒体カセット装着部５を使用する場合には、例えば液体カセット装着部６の下段に設置する。
【００３４】
液体カセット装着部６は、プリンター本体４と一体の媒体カセット装着部５の下段に設けられており、一例として前記プリンター本体４の外装構成部材２とは別体の外装構成部材２Ａを備えている。液体カセット装着部６の外装構成部材２Ａの前面には上下２段に分けて４つの挿入口１１Ｂ、１１Ｃ、１１Ｍ、１１Ｙが設けられていて、上段に幅狭の３つの挿入口１１Ｃ、１１Ｍ、１１Ｙが等間隔で配置され、下段に幅広の１つの挿入口１１Ｂが配置されている（図１０参照）。
【００３５】
そして、前記４つの挿入口１１Ｂ、１１Ｃ、１１Ｍ、１１Ｙには各別に液体カセット９Ｂ、９Ｃ、９Ｍ、９Ｙが着脱可能に装着できるように構成されている。これらの液体カセット９Ｂ、９Ｃ、９Ｍ、９Ｙを挿入口１１Ｂ、１１Ｃ、１１Ｍ、１１Ｙから挿入して装着すると、各液体カセット９Ｂ、９Ｃ、９Ｍ、９Ｙにセットされた液体収容パックＱの接続部が液体チューブ６１と接続されて印刷ヘッド５７に向けて各色のインクを供給できるように構成されている。
【００３６】
液体カセット装着部６の外装構成部材２Ａの前面には、開閉カバー１３が設けられている。その一例として下段の挿入口１１Ｂの左右から前方＋Ｙに向けてフィンガー状に突出する本体ヒンジ部６５の２本のアーム部６７の下端に取り付けられている回動軸６９（図１７参照）を支点として前方＋Ｙに開いた水平な拡開姿勢と、外装構成部材２Ａの前面を覆う垂直な閉塞姿勢と、を取ることができるように構成されている。  
そして、液体カセット装着部６の外層構成部材２Ａの前面寄りの左側面上部に開口１７が形成されている。また、この開口１７を利用してスライド部材１９が設けられており、液体カセット装着部６の内部にかけてスライド部材１９と規制部２１とを備えるロック機構１５が設けられている。
【００３７】
（２）印刷装置の要部と周辺部材の具体的構成（図１〜図２１参照）
次に、このようにして構成される本実施形態に係る印刷装置１の要部とその周辺部材の構成について具体的に説明する。  
図５に表したように、開口１７は、横長の角丸矩形状に一例として形成されており、アンロック方向−Ｓとなる開口１７の他端寄りの上縁と下縁にはそれぞれ内側に突出するリブ７１が形成されている。開口１７の高さ方向Ｚの幅Ｗが一端寄りのロック方向＋Ｓで広くＷ１、他端寄りのアンロック方向−Ｓで狭くＷ２になり、即ちＷ１＞Ｗ２の関係になっている。
【００３８】
スライド部材１９は、図１３及び図１４に示すような湾曲した矩形板状の部材によって構成されている。スライド部材１９には、これと組み合わさってスライド方向Ｓに一体になって移動する規制部２１の頭部２１ａを出没自在に受け入れる角窓状の開口７３が形成されている。  
また、スライド部材１９の背面の他端側となるアンロック方向−Ｓの端部寄りには、軸受部７５が上下に設けられていて、スライド部材１９の背面の一端側となるロック方向＋Ｓの端部寄りには、内方に向って突出する楔形状の係合爪部７７が形成されている。
【００３９】
規制部２１は、スライド部材１９の軸受部７５に嵌合する揺動軸２１ｃと、揺動軸２１ｃからスライド部材部材１９の開口７３にかけて延びるアーム部２１ｂと、アーム部２１ｂの先端からスライド部材１９の開口７３側に突出する頭部２１ａと、を備えている。  
そして、図５に表したように、本実施形態では規制部２１の頭部２１ａの高さ方向Ｚの幅Ｗ３より外装構成部材２Ａに形成した開口１７の他方となるアンロック方向−Ｓの端部側の幅Ｗ２の方が狭くなり、即ちＷ１＞Ｗ３＞Ｗ２の関係になっている。
【００４０】
因みに、このように構成することで、スライド部材１９がロック位置Ｓ１に位置している状態では、図１３に表すように規制部２１の頭部２１ａが開口１７から外方に飛び出して図４及び図５に表す状態になる。そして、頭部２１ａがリブ７１に当接してスライド部材１９のアンロック方向−Ｓへの移動が規制される。  
一方、スライド部材１９がアンロック位置Ｓ２に位置している状態では、リブ７１によって規制部２１の頭部２１ａの外方への移動が規制される。そのため、規制部２１の頭部２１ａは、リブ７１の内面に当接して図３及び図１４に表すようにスライド部材１９及び外装構成部材２Ａの内方に位置している。
【００４１】
また、図１３に表したように、規制部２１は、揺動軸２１ｃを支点として、スライド部材１９に対して揺動可能に構成されている。規制部２１のアーム部２１ｂの背面には、スライド部材１９がロック位置Ｓ１に移動した状態において、規制部２１の頭部２１ａを外装構成部材２Ａの開口１７から突出する方向に押圧する押圧部材として、一例として金属製線材をＵ字状に湾曲させ、その両端を揺動軸２１ｃに巻き付けて形成した付勢バネ７９が取り付けられている。
【００４２】
また、規制部２１の頭部２１ａには、スライド部材１９をスライド方向Ｓに移動させる場合に操作する操作部として突部８１が設けられている。突部８１は、指で摘まむのに適した厚さの板状の部材によって構成されており、リブ７１が設けられた他方のアンロック方向−Ｓの端部側における開口１７の幅Ｗ２の方が突部８１の高さ方向Ｚの幅Ｗ４よりも広くなるように形成されている。従って、Ｗ１＞Ｗ３＞Ｗ２＞Ｗ４の関係になっている。  
尚、操作部８１はこのような突部形状だけでなく、凹部形状やリング形状、あるいはフック形状等、指や手を掛けることができる種々の形状が採用可能である。
【００４３】
また、規制部２１には開口１７から突出する頭部２１ａに対して高さ方向Ｚに貫通する貫通孔８３が形成されている。この貫通孔８３には、図５に表すように例えば南京錠等の拘束具８５のツル８５ａを通して締結することで、部外者が勝手にスライド部材１９を操作して開閉カバー１３を拡開することを抑制している。
【００４４】
また、図６に表したように、液体カセット装着部６の内部における液体カセット９の収容部の上方空間には、スライド部材１９の移動に伴って変位するリンク機構８７が設けられている。そして、スライド部材１９がロック位置Ｓ１にある状態では、リンク機構８７が開閉カバー１７の開放動作を規制するように構成されている。
【００４５】
リンク機構８７は、揺動支点８９を中心にして所定の角度の範囲で揺動する作用長Ｌの長い揺動リンク板９１と、揺動リンク板９１をアンロック方向−Ｓに付勢する付勢部材９３の一例である引張りコイルバネ９４と、揺動リンク板９１の一部に設けられ、スライド部材１９に対して設けられる係合爪部７７と係合する一例としてＶ字状の係合受部９５と、揺動リンク板９１の一部に設けられ、開閉カバー１３の裏面１３ｂに対して設けられる係合溝部９７（図８参照）の長手方向と交差する溝幅方向に設けられる係合バー９８と係合する湾曲したＬ字状の係合フック９９と、を備える。
【００４６】
揺動リンク板９１は、係合フック９９が設けられている角部を直角とする略直角三角平板状の部材で、残りの一つの角部に揺動支点８９、残りのもう一つの角部に係合受部９５を備えている。  
揺動支点８９と係合受部９５が設けられている二つの角部を結ぶ辺の中間には引張りコイルバネ９４の一端のフックを引っ掛けるバネ係止部９２が設けられている。また、液体カセット装着部６の天板１０には引張りコイルバネ９４の他端のフックを引っ掛ける係止穴１０ａが形成されている。
【００４７】
そして、天板１０の係止穴１０ａが設けられている前端の位置がバネ係止部９２の位置よりも後方−Ｙ側に位置しているため、引張りコイルバネ９４の付勢力がアンロック方向−Ｓに働いて揺動リンク板９１を図６及び図８において時計方向に回転させるように付勢している。  
尚、揺動リンク板９１の揺動支点８９は、天板１０の前端から幾分、奥部寄りに設けられている軸受部１０ｂによって軸支されている。
【００４８】
また、図８に表したように、揺動リンク板９１に設けられる係合受部９５がスライド部材１９の係合爪部７７に当接する接点Ａと、揺動リンク板９１に設けられる係合フック９９が開閉カバー１３の係合溝部９７に設けられている係合バー９８に当接する接点Ｂと、を結ぶ幅方向Ｘの長さを揺動リンク板９１の作用長Ｌとして本明細書で定義する。揺動リンク板９１の作用長Ｌは、開閉カバー１３の幅方向Ｘにおける長さの約1／２をやや下回る長さに一例として設定されている。  
これにより、ロック機構１５の操作位置となる操作部８１が設けられている位置を、開閉カバー１３の開閉動作の邪魔にならない外装構成部材２Ａの側方位置に設定すると共に、ロック機構１５のロック位置となる係合フック９９と係合バー９８の係合位置を、開閉カバー１３が傾くことなく、最も強い力で保持することができる開閉カバー１３の幅方向Ｘの中央の重心位置に設定することが可能になる。
【００４９】
この他、液体カセット装着部６の上面の最も前面寄りには、図１０に表すように、補強フレーム１０１が左右のサイドフレーム１０２に架け渡される形で設けられており、該補強フレーム１０１の中央部には、係合フック９９先端の係合作用部における上面を覆うフックカバー１０３が図１１に拡大して表すように設けられている。  
また、開閉カバー１３の裏面の回動自由端側の中央に図１０に表すように、幅方向Ｘに長い角溝状の係合溝部９７が形成されており、この係合溝部９７には図１２に表すように左右両端から幾分内方寄りに１枚ずつ計２枚の補強リブ１０５が設けられていて、これら２枚の補強リブ１０５の中間の所定位置に係合バー９８が設けられている。
【００５０】
更に、開閉カバー１３の裏面１３ｂは、図１０、図１５及び図１６に表すように、挿入口１１Ｂに液体カセット９Ｂを挿入するときの高さ方向Ｚの案内面になっており、液体カセット９Ｂを拡開状態の開閉カバー１３の裏面１３ｂに載置してそのまま挿入口１１Ｂ側にスライドするだけで液体カセット９Ｂを挿入できるように構成されている。  
また、開閉カバー１３の裏面１３ｂの回動基端寄りの左右には、液体カセット９Ｂを挿入口１１Ｂに挿入するときの幅方向Ｘの位置決めを行うガイドリブ１０７が２条、設けられている。
【００５１】
また、開閉カバー１３と、液体カセット装着部６の左右のサイドフレーム１０２と、は、図１０、図１５及び図１６に表すように、リンクアーム１０９によって接続されている。リンクアーム１０９は、アーム長方向に長く、アーム幅方向に短い平板状の部材で開閉カバー１３と接続される先端部には図示しない回動軸が取り付けられ、開閉カバー１３の裏面１３ｂに設けられる軸受部１１１によって前記回動軸は回動自在に接続されている。  
また、リンクアーム１０９には、アーム長方向に延びる長穴状の係合穴１１３がリンクアーム１０９の基端部からアーム長の２/３程度の範囲にかけて形成されている。この係合穴１１３には、図１７及び図１８に表すよう、サイドフレーム１０２に取り付けられたスライド支点軸１１５が係合し、開閉カバー１３の回動に伴って係合穴１１３の長さの範囲でその係合位置が変化するように構成されている。
【００５２】
また、スライド支点軸１１５には、バネ座として機能する図示のような２枚のワッシャー１１７、１１７が取り付けられており、２枚のワッシャー１１７、１１７に挟まれるように、その中間部に圧縮コイルバネ１１９が縮設されている。  
一方、リンクアーム１０９の係合穴１１３を挟んだアーム幅方向の外方には、係合穴１１３に沿って延びる２本の制動リブ１２１、１２１が立設されている。制動リブ１２１の形状は、係合穴１１３の中間付近から始まって、徐々に高さが高くなり、所定の高さになったらリンクアーム１０９の基端部にかけて一定の高さになるように形成されている。
【００５３】
そして、この制動リブ１２１には、圧縮コイルバネ１１９によって内方に付勢されている内側のワッシャー１１７が当接することで、制動リブ１２１の高さに応じた制動力が得られるように構成されている。  
因みに、本実施形態で採用した前記形状の制動リブ１２１によれば、開閉カバー１３が閉塞位置から拡開する当初の状態では制動力がほとんど掛からず円滑に拡開し、拡開が進むに従って徐々に制動力が掛かるようになり、開閉カバー１３が水平になる拡開終了間際では制動力が最大になって、ゆっくりと拡開するようになるための衝撃音が発生しなくなっている。
【００５４】
また、本体ヒンジ部６５の回動軸６９は、図１９〜図２１に表すように、開閉カバー１３の基端部に設けられる軸受構造１２３によって回動自在に支承されている。軸受構造１２３は、開閉カバー１３の表面１３ａに設けられるフロントパネル１２５に形成される２つの凹部１２７、１２８と、開閉カバー１３の裏面に設けられるリアパネル１２９に形成される２個所の庇状部１３１、１３２と、これら凹部１２７、１２８と庇状部１３１、１３２を図２１に表すように組み合わせた後に取り付けられる湾曲した板バネ状のヒンジ押さえ部材１３３と、を備える。
【００５５】
尚、ヒンジ押さえ部材１３３は、先端がＬ字状に折り曲げられた第１バネ作用部１３５と、Ｕ字状をした第２バネ作用部１３７と、第１バネ作用部１３５と第２バネ作用部１３７とを接続する水平押さえ部１３９と、を備えている。そして、第１バネ作用部１３５のＬ字状に折り曲げられた先端部がフロントパネル１２５の第１凹部１２７の基端側の内壁面に当接することで、ヒンジ押さえ部材１３３の一端側が係止され、第１バネ作用部１３５の基部に設けられている係止凸部１４２と水平押さえ部１３９によって第１庇状部１３１の端部を挟み込むことによって取り付けられている。  
また、第２バネ作用部１３７のＵ字状に折り曲げられた先端部には、係合溝１４１が形成されていて、この係合溝１４１に第２庇状部１３２の端辺が嵌まり込むことによって、ヒンジ押さえ部材１３３の他端側が係止される。
【００５６】
そして、このようにして構成されるヒンジ押さえ部材１３３を、前記２つの凹部１２７、１２８と２つの庇状部１３１、１３２を組み合わせた拡開状態の開閉カバー１３の回動基端部に対して上方から押し当てるように取り付けると、図２１に表すように、スナップフィット感覚で比較的小さな力で組み付けることができ、一旦、組み付けるとヒンジ押さえ部材１３３の両端と第１バネ作用部１５５の係止凸部１４２による前述した係止作用が働いて容易に取り外すことができない強固な固定が形成されるようになっている。
【００５７】
（３）印刷装置の作動態様（図１〜図２１参照）
次に、このようにして構成される本実施形態に係る印刷装置１の作動態様を（Ａ）印刷装置の基本動作、（Ｂ）開閉カバーの開閉動作、（Ｃ）収容体の着脱動作、（Ｄ）ロック機構のロック・アンロック動作、（Ｅ）開閉カバーの取付け動作と、に分けて具体的に説明する。  
（Ａ）印刷装置の基本動作（図１及び図２参照）
本実施形態に係る印刷装置１は、スキャナー３を使用する、原稿に記載された画像の読み取り動作と、プリンター本体４を使用した媒体Ｐに対する印刷動作と、スキャナー３とプリンター本体４の両方を使用した原稿の複写動作と、を行うことができる。
【００５８】
原稿に記載された画像情報を読み取る場合には、スキャナー３の蓋体２５を開いて原稿台に原稿をセットし、操作パネル６３ないしＰＣから指令を出して画像情報の読み取りを開始する。これにより本体部２７内のイメージセンサーが走査を開始して所望の画像情報の読み取りが実行される。  
媒体Ｐに印刷する場合には、媒体カセット装着部５に媒体Ｐをセットした媒体カセット７を装着し、ＰＣから指令を出して印刷を開始する。これにより媒体Ｐはピックアップローラー３５により上位から１枚ずつピックアップされて第１給送経路３７、第２給送経路４３を経て給送用ローラー４５と搬送用ローラー４７から搬送力が付与されて印刷領域に供給される。
【００５９】
印刷領域では走査方向となる幅方向Ｘに往復移動するキャリッジ５９に搭載されている印刷ヘッド５７から液体収容パックＱから液体チューブ６１を介して供給されるインクが吐出されて所望の印刷が実行され、印刷後は排出ローラー５３から搬送力を得て排出用スタッカー５１に排出される。また、媒体Ｐの両面に印刷を行う場合には、表面印刷後の媒体Ｐを反転経路５５に供給し、表面と同様に裏面への印刷を実行する。  
原稿の複写を行う場合には、複写する元原稿をスキャナー３の原稿台にセットし、操作パネル６３から複写の指令を出して原稿の複写を開始する。以後は前記媒体Ｐに対する印刷動作が実行されてスキャナー３によって読み取った画像情報に基づいた複写画像が媒体Ｐ上に出力される。
【００６０】
（Ｂ）開閉カバーの開閉動作（図３、図４、図１０及び図１７〜図１９参照）
液体カセット装着部６１に液体収容パックＱがセットされた液体カセット９を装着する場合や液体カセット装着部６から使用済みの液体収容パックＱを取り出して新しい液体収容パックＱと交換する場合には、開閉カバー１３の開閉動作を実行する。  
閉塞状態の開閉カバー１３を拡開する場合には、液体カセット装着部６の前面＋Ｙ寄りの左側面上部に設けられている開口１７から突出している操作部２３に指を当てて装置内方に押し込むことで規制部２１の頭部２１ａと開口１７に形成されたリブ７１との係止状態を解除する。
【００６１】
次に、操作部２３に指を掛けた状態でアンロック方向−Ｓにスライドさせると、スライド部材１９が一体にアンロック方向−Ｓに移動して開閉カバー１３のロック状態が解除されてアンロック状態に移行する。  
続いて、開閉カバー１３の回動自由端の中央に設けられている手掛かり部１４に手を掛けて開閉カバー１３を手前に下げるように回動させると、開閉カバー１３は、垂直姿勢の閉塞状態から水平姿勢の拡開状態へと移行する。尚、このときリンクアーム１０９に設けられた制動リブ１２１と圧縮コイルバネ１１９の付勢力を受けたワッシャー１１７との摩擦力により、拡開当初は円滑に開閉カバー１３が回動し、拡開終了間際ではゆっくりと開閉カバー１３が回動するため拡開終了時の衝撃音の発生が抑制されている。
【００６２】
また、このとき開閉カバー１３は、本体ヒンジ部６５の回動軸６９を第１凹部１２７と第１庇状部１３２と第１バネ作用部１３５とによって、くわえ込んだ状態では保持する軸受構造１２３により、回動軸６９を支点として回動し、リンクアーム１０９に形成された係合穴１１３に係合するスライド支点軸１１５に案内されながら円滑な開閉カバー１３の拡開動作が実行される。  
また、拡開状態の開閉カバー１３を閉塞状態に移行させる場合には、同じく開閉カバー１３の手掛かり部１４に手を掛けて開閉カバー１３を上方に引き上げるように回動させれば開閉カバー１３は前記の逆の動作で水平姿勢の拡開状態から垂直姿勢の閉塞状態へと移行する。
【００６３】
（Ｃ）収容体の着脱動作（図１５及び図１６参照）
収容体である大容量のブラック（Ｂ）インク用の液体カセット７Ｂを液体カセット装着部６に装着する場合には、前述した動作により拡開した開閉カバー１３の裏面１３ｂ上にブラック（Ｂ）インクが充填された液体収容パックＱがセットされた液体カセット７Ｂを図１５に表すように載置する。そして、左右のガイドリブ１０７によって液体カセット７Ｂの左右の側面をガイドさせた状態で、そのまま滑らせるように挿入口１１Ｂに挿入し、奥部まで押し込むことによって、図１６に表すようにブラック（Ｂ）インク用の液体カセット７Ｂの装着が完了する。
【００６４】
また、残りの３つの液体カセット７Ｃ、７Ｍ、７Ｙについては、液体カセット７Ｂよりも軽量であるから、そのまま手で持って、それぞれの挿入口１１Ｃ、１１Ｍ、１１Ｙに挿入し、奥部まで押し込むことによって装着が完了する。また、収容体である液体カセット７Ｂ、７Ｃ、７Ｍ、７Ｙを液体カセット装着部６から取り外す場合には、液体カセット７Ｂ、７Ｃ、７Ｍ、７Ｙの前面板等に設けられる指掛け部等に指を掛けて手前に引き出すことによって液体カセット７Ｂ、７Ｃ、７Ｍ、７Ｙを液体カセット装着部６から取り外す。
【００６５】
（Ｄ）ロック機構のロック・アンロック動作（図３〜図１２参照）
図３、図６及び図７に表すアンロック状態のロック機構１５を、図４、図８及び図９に表すロック状態に移行させる場合には、操作部２３に指を掛けて手前に移動させる。スライド部材１９がロック位置Ｓ１に達すると、規制部２１は、開口１７の他端側に設けられているリブ７１からの規制から開放されるため押圧部材である付勢バネ７９の付勢力を受けて、開口１７の外方に突出する。  
また、前記スライド部材１９のロック方向＋Ｓへの移動に伴い、係合状態の係合爪部７７と係合受部９５とから揺動リンク板９１に動力が伝わり、揺動リンク板９１は、付勢部材９３の一例である引張りコイルバネ９４の付勢力に抗して揺動支点８９を中心にして図９中、時計方向に揺動する。これにより、揺動リンク板９１に設けられている係合フック９９が図７に表すアンロック状態から図９に表すロック状態に移行し、係合フック９９が係合溝部９７に設けられている係合バー９８に係合してロック状態が形成される。
【００６６】
一方、図４、図８及び図９に表すロック状態のロック機構１５を、図３、図６及び図７に表すアンロック状態に移行させる場合には、操作部２３に指を当てて内方に押し込み、操作部２３に指を掛けて奥部側に移動させる。これに伴い、規制部２１はリブ７１による規制から開放され、スライド部材１９のアンロック方向−Ｓに向けた移動が可能になる。  
尚、規制部２１がリブ７１による規制から開放されると、引張りコイルバネ９４の付勢力によって揺動リンク板９１は自動的にアンロック方向−Ｓに移動するため、揺動リンク板９１の揺動は円滑に実行される。そして、係合フック９９は、図９に表すロック状態から図７に表すアンロック状態に移行してアンロック状態になる。
【００６７】
また、図４に表すように、スライド部材１９がロック位置Ｓ１に位置している状態では、規制部２１の頭部２１ａが開口１７から突出して外方に位置するため、規制部２１に形成されている貫通孔８３も装置外方に突出する。  
従って、液体収容パックＱの盗難対策として南京錠等の拘束具８５を使用する場合には、図５に表すように、装置外部に突出している規制部２１の貫通孔８３に拘束具８５のツル８５ａを容易に通すことが可能になり、ツル８５ａを通して拘束状態にすれば、悪意による不正な開閉カバー１３の拡開動作を抑制することが可能になる。
【００６８】
（Ｅ）開閉カバーの取付け動作（図２０及び図２１参照）
開閉カバー１３を液体カセット装着部６の前面に取り付ける場合には、図２０に表すように、開閉カバー１３のフロントパネル１２５とリアパネル１２９を予め組み立てておき、組み立てた状態の開閉カバー１３を図示のように裏面１３ｂを上にした水平姿勢にし、本体ヒンジ部６５の位置に軸受構造１２３が位置するように幅方向Ｘの位置調整をして液体カセット装着部６に向けて開閉カバー１３を接近させて行く。  
次に、開閉カバー１３の回動自由端を幾分上方に持ち上げてフロントパネル１２５の第１凹部１２７を形成している基端側の立上り部１２７ａの高さを低くして第１凹部１２７内に本体ヒンジ部６５の回動軸６９を進入させる。
【００６９】
この状態で開閉カバー１３の回動自由端を下方に降ろして開閉カバー１３を水平状態にする。次に、ヒンジ押さえ部材１３３を上方から押し当てるようにして取り付け、第１バネ作用部１３５を第１凹部１２７内に、第２バネ作用部１３７を第２凹部１２８内に位置させる。  
この際、第１バネ作用部１３５と第２バネ作用部１３７のバネ作用によって第１バネ作用部１３５の先端部１３６と第２バネ作用部１３７の係合溝１４１がそれぞれ内方に変位するため、比較的小さな力でヒンジ押さえ部材１３３の取り付けが完了する。
【００７０】
また、一旦ヒンジ押さえ部材１３３が取り付けられると、第１バネ作用部１３５の先端部１３６と第１凹部１２７の立上り部１２７ａとによる係止作用と、第１バネ作用部１３５の基部に設けられている係止凸部１４２と水平押さえ部１３９による挟持作用と、第２バネ作用部１３７の係合溝１４１と第２庇状部１３２との係合作用と、によって開閉カバー１３の液体カセット装着部６に対する強固な取付け状態が形成され、容易には取り外すことができなくなる。
【００７１】
（４）付勢部材の変形例の構成と作動態様（図１３、図２２及び図２３参照）
揺動リンク板９１のアンロック方向−Ｓへの揺動を円滑にするための付勢部材９３は、図６及び図８等に表す引張りコイルバネ９４に代えて、図２２及び図２３に表すような２安定付勢バネ１４３を使用することが可能である。  
具体的には、図２２及び図２３に表すような捩じりコイルバネを２安定付勢バネ１４３として使用する。この２安定付勢バネ１４３は、コイル部１４５と、コイル部１４５の一端から直線的に延びる第１係止部１４７と、コイル部１４５の他端から、直線的に延びた後、クランク状に屈曲し、再び直線状となる直線部分１５５が設けられた形状の第２係止部１４９と、を備えている。
【００７２】
また、スライド部材１９には、第１係止部１４７の先端部を受け入れる孔部１５１が形成された係止片１５３が設けられている。また、液体カセット装着部６の外装構成部材２Ａの背面には、前記クランク状に折り曲げた部分から先端にかけての部分に形成されている直線部分１５５を回動軸として、その上端と下端を支持する２つの軸受部１５７、１５８が設けられている。
【００７３】
このようにして構成される２安定付勢バネ１４３を付勢部材９３として使用した場合には、スライド部材１９のスライド位置によって第１係止部１４７の先端部を係止している係止片１５３の位置が変わって２安定付勢バネ１４３の付勢状態が変わる。  
具体的には、第２係止部１４９の直線部分１５５と、第１係止部１４７とが一致する中立位置を境にして、第１係止部１４７がアンロック方向−Ｓに位置する図２３の状態では、揺動リンク板９１をアンロック方向−Ｓに揺動するように付勢力が働く。第１係止部１４７がロック方向＋Ｓに位置する図２２の状態では、揺動リンク板９１をロック方向＋Ｓに揺動するように付勢力が働くため、揺動リンク板９１の揺動範囲の中間位置で発生する揺動リンク板９１の不安定な動きを低減させることが可能になる。
【００７４】
（５）印刷装置の作用、効果
このようにして構成され、動作が実行される本実施形態に係る印刷装置１を使用した場合には、ロック機構１５をロック状態にしたとき、拘束具８５を取り付けるための貫通孔８３が外装構成部材２の外方に位置するから、拘束具８５の取り付けが容易になる。また、作用長Ｌを長くとった剛性のある大型の揺動リンク板９１の採用によって、ロック機構１５の操作位置とロック位置とを離間した位置に設定できるようになり、開閉カバー１３の開閉の邪魔にならないスライド部材１９の配置と、開閉カバー１３の確実かつ頑強な閉塞状態が保たれるようになる。
【００７５】
また、リンクアーム１０９とスライド支点軸１１５との間に設けた圧縮コイルバネ１１９と制動リブ１２１とワッシャー１１７とによって奏される制動力によって開閉カバー１３の拡開時の衝撃音の発生も抑制されている。  
また、液体カセット装着部６側に設けられる本体ヒンジ部６５と、開閉カバー１３側に設けられる軸受構造１２３によって、開閉カバー１３の取付けが容易になり、取付け後は頑強なヒンジ部が形成されるようになる。
【００７６】
また、開閉カバー１３の裏面１３ｂの高さの調整と、開閉カバー１３の裏面に設けたガイドリブ１８７による案内作用によって、下段に設けた挿入口１１Ｂへの液体カセット９Ｂの装着が容易になる。  
更に、揺動リンク板９１と液体カセット装着部６の天板１０との間に設けた引張りコイルバネ９４によって構成される付勢部材９３によって、揺動リンク板９１のアンロック方向−Ｓへの揺動が円滑になる。また、スライド部材１９と外装構成部材２との間に２安定付勢バネ１４３を設けた場合には、揺動リンク板９１の揺動範囲の中間位置で発生する揺動リンク板９１の不安定の動きを低減することが可能となる。
【００７７】
［他の実施形態］
本発明に係る印刷装置１は、以上述べたような構成を有することを基本とするものであるが、本願発明の要旨を逸脱しない範囲内での部分的構成の変更や省略等を行うことも勿論可能である。
【００７８】
例えば、本発明に係る印刷装置１は、前記実施形態で述べたプリンター本体４と画像読取装置３とが一体になった複合型のインクジェットプリンターに限らず、複合型のレーザープリンターや複写機、画像読取装置３を有さないプリンター本体４のみを備える単体の印刷装置に適用することも可能である。  
また、印刷関連部材Ｑとしては、インク等の液体を収容した液体収容パックＱに限らず、同様の液体を収容した液体カートリッジや液体タンクであってもよい。この他、印刷を行う媒体Ｐ、印刷に使用されなかったインク等の液体を回収する排液タンク、印刷に必要なプリンター本体４内の交換が必要になる他の交換部品等、印刷に関連する種々の関連部材が含まれる。
【００７９】
また、開口１７の幅Ｗをアンロック位置Ｓ２側とロック位置Ｓ１側で異ならせる構成としては開口１７にリブ７１を設ける構成に限らず開口１７自体の形状をアンロック位置Ｓ２側とロック位置Ｓ１側とで異ならせた異形穴形状にすることも可能である。  
この他、ロック機構１５は、リンク機構８７を有しないスライド部材１９と規制部２１のみを備える構成にしてもよい。この場合には、スライド部材１９に係合部や例えば図２２及び図２３に表すようなロック作動部１５９を設けておき、スライド部材１９がロック位置Ｓ１に位置している状態では、その係合部やロック作動部１５９を外装構成部材２Ａ等に設けた係合受部と係合させる。またはロック作動受部１６１等に作用して、別途設けておくロック機構１５等を駆動させることによって開閉カバー１３の拡開動作を規制するようにすることも可能である。また、開閉カバー１３の閉塞時のロック状態を確実にするために、このような構成のロック機構１５を外装構成部材２Ａの左右に一組ずつ計２組配置することも可能である。
【符号の説明】
【００８０】
１…印刷装置、２…外装構成部材、３…画像読取装置（スキャナー）、
４…プリンター本体、５…媒体カセット装着部、６…液体カセット装着部、
７…媒体カセット、９…収容体（液体カセット）、１０…天板、１０ａ…係止穴、
１０ｂ…軸受部、１１…挿入口、１３…開閉カバー、１３ａ…表面、１３ｂ…裏面、
１４…手掛かり部、１５…ロック機構、１７…開口、１９…スライド部材、
２１…規制部、２１ａ…頭部、２１ｂ…アーム部、２１ｃ…揺動軸、２３…操作部、
２５…蓋体、２７…本体部、２９…給送部、３１…搬送部、３３…印刷部、
３５…ピックアップローラー、３７…第１給送経路、３９…分離ローラー、
４１…ガイドローラー、４３…第２給送経路、４５…給送用ローラー、
４６…反転ローラー、４７…搬送用ローラー、４９…プラテン、
５１…排出用スタッカー、５３…排出用ローラー、５５…反転経路、
５７…印刷ヘッド、５９…キャリッジ、６０…制御装置、６１…液体チューブ、
６３…操作パネル、６５…本体ヒンジ部、６７…アーム部、６９…回動軸、
７１…リブ、７３…開口、７５…軸受部、７７…係合爪部、
７９…付勢バネ（押圧部材）、８１…突部、８３…貫通孔、８５…拘束具、
８５ａ…ツル、８７…リンク機構、８９…揺動支点、９１…揺動リンク板、
９２…バネ係止部、９３…付勢部材、９４…引張りコイルバネ、９５…係合受部、
９７…係合溝部、９８…係合バー、９９…係合フック、１０１…補強フレーム、
１０２…サイドフレーム、１０３…フックカバー、１０５…補強リブ、
１０７…ガイドリブ、１０９…リンクアーム、１１１…軸受部、１１３…係合穴、
１１５…スライド支点軸、１１７…ワッシャー、１１９…圧縮コイルバネ、
１２１…制動リブ、１２３…軸受構造、１２５…フロントパネル、
１２７…第１凹部、１２７ａ…立上り部、１２８…第２凹部、１２９…リアパネル、
１３１…第１庇状部、１３２…第２庇状部、１３３…ヒンジ押さえ部材、
１３５…第１バネ作用部、１３６…先端部、１３７…第２バネ作用部、
１３９…水平押さえ部、１４１…係合溝、１４２…係止凸部、
１４３…２安定付勢バネ、１４５…コイル部、１４７…第１係止部、
１４９…第２係止部、１５１…孔部、  １５３…係止片、１５５…直線部分、
１５７…軸受部、１５８…軸受部、１５９…ロック作動部、１６１…ロック作動受部、
Ｘ…幅方向、Ｙ…奥行き方向、＋Ｙ…前面（前方）、−Ｙ…背面（後方）、
Ｚ…高さ方向、Ｐ…媒体、Ｑ…液体収容パック（印刷関連部材）、Ｓ…スライド方向、
＋Ｓ…ロック方向、−Ｓ…アンロック方向、Ｓ１…ロック位置、
Ｓ２…アンロック位置、Ｗ…幅、Ｌ…作用長、Ａ…接点、Ｂ…接点
【図１】
2020082595.tif 000003
【図２】
2020082595.tif 000004
【図３】
2020082595.tif 000005
【図４】
2020082595.tif 000006
【図５】
2020082595.tif 000007
【図６】
2020082595.tif 000008
【図７】
2020082595.tif 000009
【図８】
2020082595.tif 000010
【図９】
2020082595.tif 000011
【図１０】
2020082595.tif 000012
【図１１】
2020082595.tif 000013
【図１２】
2020082595.tif 000014
【図１３】
2020082595.tif 000015
【図１４】
2020082595.tif 000016
【図１５】
2020082595.tif 000017
【図１６】
2020082595.tif 000018
【図１７】
2020082595.tif 000019
【図１８】
2020082595.tif 000020
【図１９】
2020082595.tif 000021
【図２０】
2020082595.tif 000022
【図２１】
2020082595.tif 000023
【図２２】
2020082595.tif 000024
【図２３】
2020082595.tif 000025